(57)【要約】      （修正有）【課題】  ＤＶＤ及びＣＤ−ＲＷに情報を記録及び再生するための光記録/ピックアップヘッドを提供する。【解決手段】  階段型回折格子構造を有する平板レンズを使用する光記録/ピックアップヘッドはＤＶＤ及びＣＤ−ＲＷに互換される。光記録／ピックアップヘッドは、相対的に短波長を有する第１光を出射する第１光源３１と、相対的に長波長を有する第２光を出射する第２光源４１と、光検出器３９と、第１光源または第２光源から出射された光を光ディスクの情報記録面にそれぞれ集束する対物レンズ３６と、第１光源または第２光源から出射された光を対物レンズに進ませ、光ディスクの情報記録面から反射された第１光または第２光をそれぞれ光検出手段に進ませる光経路変更手段と、光経路変更手段から対物レンズに進む第１光を実質的に全透過させ、光経路変更手段から対物レンズに進む第２光を対物レンズの光軸側に回折させる平板レンズ３５とを含む。【選択図】  図３
2004171758.tif 000002
【特許請求の範囲】
【請求項１】
異なる波長の光により情報の記録及び再生がなされる複数枚の光ディスクのための光記録/ピックアップヘッドにおいて、
相対的に短波長を有する第１光を出射する第１光源と、
相対的に長波長を有する第２光を出射する第２光源と、
光検出器と、
前記第１光源または第２光源から出射された光を前記光ディスクの情報記録面にそれぞれ集束する対物レンズと、
第１光源または第２光源から出射された光を対物レンズに進ませ、前記光ディスクの情報記録面から反射された第１光または第２光をそれぞれ前記光検出手段に進ませる光経路変更手段と、
前記光経路変更手段から対物レンズに進む第１光を実質的に全透過させ、前記光経路変更手段から対物レンズに進む第２光を対物レンズの光軸側に回折させる平板レンズとを含む光記録/ピックアップヘッド。
【請求項２】
前記平板レンズは前記光経路変更手段から入射される光を受光する受光面上に相異なる光学的特性を有する第１領域及び第２領域を備え、
前記第１領域は受光面の光学的中心を含み、前記第２領域は第１領域の外側に位置することを特徴とする請求項１に記載の光記録/ピックアップヘッド。
【請求項３】
前記第１領域は前記光経路変更手段から入射される第１光及び第２光を実質的に全透過させ、前記第２領域は前記光経路変更手段から入射される第１光を全透過させ、前記光経路変更手段から入射される第２光の殆んどを前記対物レンズの光軸側に回折させる請求項２に記載の光記録/ピックアップヘッド。
【請求項４】
前記第２領域は前記平板レンズの光学軸を中心として有する環状である請求項３に記載の光記録/ピックアップヘッド。
【請求項５】
前記第２領域は回折格子を備える請求項４に記載の光記録/ピックアップヘッド。
【請求項６】
前記回折格子は前記光経路変更手段を向くように形成された請求項５に記載の光記録/ピックアップヘッド。
【請求項７】
前記回折格子は前記平板レンズの光学的中心から遠ざかるほど浅く食刻された請求項６に記載の光記録/ピックアップヘッド。
【請求項８】
前記回折格子は周期的に反復する階段型構造よりなる請求項７に記載の光記録/ピックアップヘッド。
【請求項９】
前記回折格子は互いに同じ段差を有する請求項８に記載の光記録/ピックアップヘッド。
【発明の詳細な説明】
【技術分野】
【０００１】
本発明は、相異なる波長の光により情報の記録及び再生がなされる少なくとも二種の光ディスクのための光記録/ピックアップヘッドに係り、より詳しくはDVD及びCD-RWに情報を記録及び再生するための光記録/ピックアップヘッドに関する。
【背景技術】
【０００２】
大容量の情報を保存するための記録媒体として光ディスクが用いられている。これら光ディスクのうち幅広く用いられるディスクとしてはCD(Compact Disk)及びDVD(Digital Versatile Disk)などがある。このうち、CDの最近の形態はCD-R(Recordable Compact Disk)及びCD-RW(Read-Writable Compact Disk)である。公知の通り、DVDは６６０nmのレーザー光により、CD-RWは７９０nmのレーザー光により情報の記録及び再生がなされる。したがって、DVD及びCD-RWに互換する光記録/ピックアップヘッドは相異なる波長のレーザー光を出射する二本の光源を備え、これら二本の光の全てのための光学系を備える。
【０００３】
図１及び図２を参照して従来のDVD及びCD-Rに互換する光記録/ピックアップヘッドについて説明すれば次の通りである。
【０００４】
図１はDVD及びCD-Rに互換する従来の光記録/ピックアップヘッドの構成を示した図面である。この光記録/ピックアップヘッドはDVD８に対して情報の記録及び再生を行うための６６０nm波長の第１光を出射する光源１、CD-R９に対して情報の記録及び再生を行うための７９0nm波長の第２光を出射する光源１１及び光源１、１１から出射された第１及び第２光をDVD８の情報記録面及びCD-R９の情報記録面に各々集束する対物レンズ７を備える。視準レンズ２は光源１から出射された第１光を平行光に視準して光分割器３に伝達する。光分割器３は視準レンズ２から入射される第１光を干渉フィルター型プリズム４に反射し、干渉フィルター型プリズム４は光分割器３から入射される平行光である第１光を１/４波長板５に伝達する。より詳しくは、干渉フィルター型プリズム４は波長によって入射光を全透過または全反射する光学素子であって、６６０nmの波長を有する第１光は全透過させ、集束レンズ１４から入射される７９０nm波長の光は全反射させる。薄膜型可変絞り６は１/４波長板５から入射される第１光を対物レンズ７に伝達する。対物レンズ７は平行に入射される第１光を厚さが0.6mmのDVD８の情報記録面に集束する。その結果、DVD８の情報記録面に集束及び反射される第１光は集束された位置に記録されている情報を収録する。DVD８の情報記録面から反射された第１光は対物レンズ７、可変絞り６及び１/４波長板５を順次に透過した後、干渉フィルター型プリズム４に入射する。干渉フィルター型プリズム４は１/４波長板５から入射される第１光を光分割器３に伝達し、光分割器３は干渉フィルター型プリズム４から入射される第１光を光検出器１０に進ませる。光検出器１０は光分割器３から入射される第１光から情報を検出する。
【０００５】
光源１１から出射された７９０nm波長の第２光は視準レンズ１２及び光分割器１３を通過した後、集束レンズ１４に入射する。集束レンズ１４は光分割器１３から入射される第２光を干渉フィルター型プリズム４に集束する形態に入射させる。干渉フィルター型プリズム４は集束レンズ１４から入射される第２光を発散光形態に１/４波長板５に伝達する。１/４波長板５は干渉フィルター型プリズム４から入射される第２光を可変絞り６に伝達する。可変絞り６は１/４波長板５から入射される第２光の一部だけを透過させ、透過した第２光を発散光形態に対物レンズ７に伝達する。第２光を発散されるように対物レンズ７に入射させることは、第２光を球面収差の発生なしでCD-R９の情報記録面に集束するためのことである。
【０００６】
図２は図１の薄膜型可変絞り６を説明するための図面である。薄膜型可変絞り６は開口数(NA:Numerical Aperture)0.6以下領域に入射する光を選択的に透過できる構造を持つ。領域１は開口数0.45以下領域に、７９０nm及び６６０nm波長の射光を全透過する。領域２は誘電体薄膜がコーティングされた領域であり、開口数0.45から開口数0.6までの領域に、６６０nm波長の光は全透過し、７９０nm波長の光は全反射する。領域１は誘電体薄膜がコーティングされた領域２により発生される光学収差を除去するために石英(SiO２)薄膜で構成される。このような透過特性を有する可変絞り６は、６６０nm波長の第１光に対しては領域の区分なしで全透過させ、７９０nm波長の第２光に対しては開口数0.45以下の領域に入射する第２光を全透過させ対物レンズ７に伝達し、開口数0.45以上の領域２に入射する第２光は全反射する。従って、対物レンズ７に入射する光に対する開口数が波長によって制限される。
【０００７】
対物レンズ７は薄膜型可変絞り６から入射する第２光を厚さが1.2mmのCD-R９の情報記録面に集束させ光スポットを形成する。CD-R９の情報記録面から反射された第２光は対物レンズ７、可変絞り６及び１/４波長板５を順次に通過した後、干渉フィルター型プリズム４に入射する。干渉フィルター型プリズム４は１/４波長板５から入射される第２光を集束レンズ１４に反射し、集束レンズ１４は第２光を光分割器１３に入射させる。光分割器１３は集束レンズ１４から入射される第２光を光検出器１５に進ませる。光検出器１５は光分割器１３からの第２光を受信し、受信された第２光から情報を検出する。従って、図１の光記録/ピックアップヘッドはDVD８及びCD-R９の両方について記録及び再生が可能である。
【０００８】
しかし、図１の光記録/ピックアップヘッドは、対物レンズ７に入射する光に対する開口数を入射光の波長によって選択的に制限するために別の可変絞り６を備えるべきである。この可変絞り６の領域１には石英薄膜がコーティングされ、領域２にはμm単位の厚さを有する誘電体薄膜が多層で構成されるべきなので、製造工程が複雑で生産コストアップを招くだけでなく、開口数0.45以上に入射するCD-R用第２光を全反射するため、記録のために約0.5以上の大きな開口数及び高い光効率を求めるCD-RW用光記録/ピックアップヘッドの光学系に適用するには不向きである。
【発明の開示】
【発明が解決しようとする課題】
【０００９】
前述した問題点を解決するための本発明の目的は、入射光の波長によって全透過したり対物レンズの光軸側に回折させる平板レンズを備えるDVD及びCD-RW用光記録/ピックアップヘッドを提供することである。
【課題を解決するための手段】
【００１０】
本発明の目的を達成するための、異なる波長の光により情報の記録及び再生がなされる複数枚の光ディスクのための光記録/ピックアップヘッドにおいて、相対的に短波長を有する第１光を出射する第１光源と、相対的に長波長を有する第２光を出射する第２光源と、光検出器と、第１光源または第２光源から出射された光を光ディスクの情報記録面にそれぞれ集束する対物レンズと、第１光源または第２光源から出射された光を対物レンズに進ませ、光ディスクの情報記録面から反射された第１光または第２光をそれぞれ光検出手段に進ませる光経路変更手段と、光経路変更手段から対物レンズに進む第１光を実質的に全透過させ、光経路変更手段から対物レンズに進む第２光を対物レンズの光軸側に回折させる平板レンズとを含む。
【発明の効果】
【００１１】
以上述べたように、本発明に係る光記録/ピックアップヘッドはDVD８及びCD-RW９０に互換する。特に、CD-RW９０上に情報を記録及び再生する場合、図１の可変絞りのように開口数0.3乃至0.5に入射する７９０nmの光を全反射せずその光量の殆んどを対物レンズ３６の中心側に-１次回折させることによって相対的に高い光効率を提供する。
【発明を実施するための最良の形態】
【００１２】
以下、添付した図面を参照して本発明の実施形態を詳細に説明する。
図３は本発明の第１実施形態にともなうDVD及びCD-RWに互換する光記録/ピックアップヘッドの構成を表す。
【００１３】
図３の光記録/ピックアップヘッドは６６０nm波長を有する第１光を出射する第１光源３１、７９０nm波長を有する第２光を出射する第２光源４１、光ディスク８、９０から反射された第１光及び第２光から情報を検出する一つの光検出器３９、第１光及び第２光を対応する光ディスク８、９０の情報記録面に集束する対物レンズ３６、第１及び第２光源３１、４１から出射された光を対物レンズ３６に伝達し、光ディスク８、９０から反射された光を光検出器３９に伝達するための光学素子３２、３３、３４、３８及び階段型平板レンズ３５を備える。
【００１４】
第１光源３１はDVD８に対して情報を記録及び再生するために６６０nm波長を有する第１光を出射する。反射平板３２は第１光源３１から入射する第１光を光分割器３３に伝達する。光分割器３３は反射平板３２から入射する第１光の殆んどを透過させ第１視準レンズ３４に伝達し、反射平板３２から入射する第１光の残り一部を反射させ光量検出器３７に伝達する。光量検出器３７は反射平板３２から入射する第１光の光量を検出する。視準レンズ３４は光分割器３３から入射する第１光を平行光に視準して階段型平板レンズ３５に伝達する。階段型平板レンズ３５は視準レンズ３４から入射する平行光である第１光を歪曲や回折なしで実質的に全透過させ対物レンズ３６に伝達する。対物レンズ３６は階段型平板レンズ３５から入射する第１光をDVD８の情報記録面上に約0.9μmの光スポットに形成するために既設定された焦点距離を持ち、入射する第１光をDVD８の情報記録面に集束する。その結果、第１光はDVD８の情報記録面上の集束された位置に記録されている情報を収録する。DVD８から反射された光は対物レンズ３６、階段型平板レンズ３５及び視準レンズ３４を順次に透過した後、光分割器３３に伝えられる。光分割器３３は第１光を受光レンズ３８に伝達する。受光レンズ３８は光分割器３３から入射する第１光が光検出器３９で集束する形態に受光されるよう光検出器３９に伝達する。光検出器３９は受光レンズ３８からの光から情報を検出する。
【００１５】
第２光源４１はCD-RW９０について情報を記録及び再生するために７９０nmの波長を有する第２光を光分割器３３に出射する。光分割器３３は第２光源４１から入射する７９０nm波長の光を反射する光学的特性を持つことであって、第２光源４１から入射する第２光の殆んどを視準レンズ３４に伝達し、残り一部を光量検出器３７に伝達する。光量検出器３７は光分割器３３から入射する第２光の光量を検出する。視準レンズ３４は光分割器３３から入射する第２光を平行光に視準して階段型平板レンズ３５に伝達する。図４、図５、図６及び図７を参照して、階段型平板レンズ３５について詳細に説明する。
【００１６】
図４は階段型平板レンズ３５の構造を示した図面である。同図によれば、階段型平板レンズ３５は第１乃至第３領域３５１〜３５３を具備する。第１領域３５１は開口数0.3以下の領域で、第２領域３５２は開口数 0.3乃至0.5の領域であり、第３領域３５３は開口数0.6以下の領域である。第２領域３５２は半径方向に階段型の構造を有する回折格子を備える。第１領域３５１は６６０nm及び７９０nmの光の両方について０次回折効率が約１００%の光学的特性を持つ。０次回折効率は、入射する時の進行方向をそのまま維持しながら透過された光の光量を入射時の光量に対して百分率で表した値と定義する。第２領域３５２は６６０nmの光に対する０次回折効率が約１００%で、７９０nmの光に対しては０次回折効率が約０%であり、１次回折効率が約７０%以上の光学的特性を持つ。１次回折効率は、１次回折された光の光量を入射時の光量に対して百分率で表した値と定義する。
【００１７】
再び図３の光記録/ピックアップヘッドに戻って説明すれば、階段型平板レンズ３５は視準レンズ３４から第１領域に入射する６６０nm波長の第１光及び７９０nm波長の第２光に対して回折させずそのまま全透過させ対物レンズ３６に伝達する。そして、視準レンズ３４から第２領域に入射する６６０nm波長の第１光に対しては回折させずそのまま全透過させ、７９０nm波長の第２光に対しては入射時光量の約７０%を１次回折角ほど回折させて対物レンズ３６に伝達する。
【００１８】
図５は階段型平板レンズ３５の第２領域に形成される回折格子の構造を説明するための図面であって、このうち上側の図面は階段型平板レンズ３５の受光面上に半径方向に回折格子が形成される位置を示す。上側の図面において、横軸と縦軸は階段型平板レンズ35の光学的中心から半径方向への距離を表し、単位はμmである。上側の図面は図４の階段型平板レンズ３５を１/４のみ示したもので、階段型平板レンズ３５の全体としては環状の格子を備えることが分かる。図５の下方の図面は階段型平板レンズ３５の格子構造を受光面に対して直交する側面で表したことで、格子の位置及び深さを全て示す。図面で左側の縦軸は階段型平板レンズ３５の光軸を表示する。図示したように、階段型平板レンズ３５で食刻された最大深さは6.4μmである。階段型平板レンズ３５は受光面の光学的中心から遠ざかるほど浅くなり、幅は狭くなる階段型格子を備える。階段型平板レンズ３５において、階段型格子は反復される。例えば、図５の下方の図面では、半径が１０００μmから１５００μmの位置に階段型格子が形成されており、１５００μmから１７００μmの位置にも階段型格子が形成されており、階段型格子が反復されることを示す。階段型格子は視準レンズ３４を向かい合うように設けられる。これに伴い、第２光源の使用時発生する球面収差が除去される。
【００１９】
図６は回折格子の深さにともなう階段型平板レンズ３５の回折効率特性を示したグラフである。グラフの横軸は回折格子の深さをnm単位で示したことであり、縦軸は回折効率を表す。グラフにおいて、点線で表した曲線は格子深さによって変化する６６０nmの光に対する０次回折効率値を表し、小さな円の連結でなされる曲線は７９０nmの光に対する１次回折効率値を表す。ボックスの中の文字は各々方向が考慮された回折次数及び入射光の波長を表示する。回折次数が"-"のものは対物レンズ３６の光軸側に回折されることを示し、そうでないのは対物レンズ３６の光軸から遠ざかる側に回折されることを示す。図示したように、階段型平板レンズ３５の深さが６４００nm、即ち6.4μmの時、６６０nmの第１光に対する階段型平板レンズ３５の０次回折効率は１であり、７９０nmの第２光に対する階段型平板レンズ３５の-１次回折効率は0.75である。したがって、図３の光ピックアップにおいて、６６０nm光に対しては０次回折効率が１００%に近くし、７９０nm波長の光に対しては０次回折効率が発生しないようにし、かつCD-RW９０を記録及び再生するのに用いられる790nm波長の第２光の光効率を最大限高めるためには、階段型平板レンズ３５の最大の回折格子の深さを望ましくは約6.4μmになるように構成する。
【００２０】
図７は階段型平板レンズ３５で回折格子深さと回折効率との関係を説明するための図面である。図面において、右側の縦軸は階段型平板レンズ３５の光軸を示し、横軸は受光面上での半径方向を示す。図面において、Tは階段型回折格子の一周期を表す。図７の階段型平板レンズ３５では、３個の回折格子が一周期(T)を成す。図面で、α、β、γは０より大きく１より小さい係数であり、これら間にはα<β<γの関係が成立つ。また、nは階段型平板レンズ３５の屈折率であり、n0は空気中の屈折率であって通常１の値を持つ。階段型平板レンズ３５の半径方向に任意の位置をχとする時、階段型平板レンズ３５は次の式（１）を満たす透過効率係数(Tm)を持つ。
【００２１】
【数１】
2004171758.tif 000003
【００２２】
ここで、Tは一周期に対応する階段型回折格子構造の幅、mは回折次数、πは円周率、iは虚数単位、そしてT(χ)はχでの透過効率係数である。光効率は透過効率係数の複素数自乗により決定される。
【００２３】
より詳細に説明すれば、区間αT<χ<βTに位置する階段型平板レンズ３５の１番目回折格子は、次の式（２）を満たす透過効率係数T(χ)を持ち、
【００２４】
【数２】
2004171758.tif 000004
【００２５】
ここで、nは平板レンズの屈折率、n0は空気中の屈折率、dは回折格子の最大深さ、３は回折格子構造の一周期内に設けられた回折格子の個数、そしてλは入射光の波長である。光効率は透過効率係数の複素数自乗により決定される。
【００２６】
区間βT<χ<γTに位置する階段型平板レンズ３５の２番目回折格子は、次の式（３）を満たす透過効率係数T(χ)を持ち、
【００２７】
【数３】
2004171758.tif 000005
【００２８】
区間γT<χ<Tに位置する階段型平板レンズ３５の３番目回折格子は、次の式（４）を満たす透過効率係数T(χ)を持つ。
【００２９】
【数４】
2004171758.tif 000006
【００３０】
そして、区間0<χ<αTに位置する0番目回折格子の透過効率係数T(χ)=1.0である。
【００３１】
一方、階段型平板レンズ３５は回折格子構造の一周期内に次の式（５）を満たす個数の回折格子を備える。
【００３２】
【数５】
2004171758.tif 000007
【００３３】
ここで、Nは整数で表され、一つの階段型回折格子構造が有する回折格子の個数、λ1は第１光の波長、そしてλ2は第２光の波長を表す。
【００３４】
また、階段型平板レンズ３５から回折格子間の段差は全て同一であり、これら段差は７９０nmの波長を有する第２光に対して次の式（６）を満たす位相差を発生することによって、開口数0.3以下の領域に入射する第２光と開口数0.3乃至0.5に入射する第２光との位相差を一致させる。これに伴い球面収差が除去される。
【００３５】
【数６】
2004171758.tif 000008
【００３６】
ここで、δiは平板レンズ３５の光学的中心からi番目段差が作る光学的位相差、πは円周率であり、diはi番目の段差の深さである。
【００３７】
このような階段型平板レンズ３５を採用した図３の光記録/ピックアップヘッドに戻って説明すれば、階段型平板レンズ３５は開口数0.3以下の領域に入射する第２光を全透過させ対物レンズ３６に伝達し、開口数0.3ないし0.5の領域に射する第２光の殆んどを対物レンズ３６の光軸に-１次回折させ対物レンズ３６に伝達する。対物レンズ３６によりCD-RW９０の情報記録面に集束及び反射された第２光は対物レンズ３６、階段型平板レンズ３５、視準レンズ３４及び光分割器３３を順次に透過して反射平板３２に入射される。反射平板３２は光分割器３３から入射する第２光を受光レンズ３８に伝達する。受光レンズ３８は反射平板３２からの第２光を光検出器３９に伝達し、光検出器３９は反射平板３２から入射する第２光から情報を検出する。
【００３８】
図８は階段型平板レンズと対物レンズの位置関係を示し、図９は階段型平板レンズと一体化した対物レンズを示す。図示したように、階段型平板レンズは、その回折格子構造を対物レンズの一方の受光面上に形成させることによって対物レンズと一体化させることができる。
【００３９】
図１０は、本発明の第２実施形態にともなうDVD８及びCD-RW９０に記録及び再生が可能な光記録/ピックアップヘッドの概略的な構成を示した図面である。図示したように、第１光源３１は６６０nm波長の第１光を第１光分割器３３０に出射する。第１光分割器３３０は第１光源３１から入射される第１光の殆んどを第１視準レンズ３４０に透過させ、残り一部を光量検出器３７に伝達する。光量検出器３７は第１光分割器３３０から入射される第１光の光量を検出する。第１視準レンズ３４０は第１光分割器３３０から入射される光を平行光に視準して第２光分割器３３１に伝達する。第２光分割器３３１は波長によって入射光を透過または反射する光学的特性を有する光学素子であって、６６０nm波長の光に対しては全透過させ、７９０nm波長の光に対しては全反射する光学的特性を持つ。このような第２光分割器３３１は第１光分割器３３０から入射される光を反射鏡３２９に伝達する。一方、第２光源及び光検出器４１０は７９０nm波長の第２光を第２ホログラム型光検出レンズ３８１に出射する。第２ホログラム型光検出レンズ３８１は第２光源４１０から入射される第２光を第２視準レンズ３４１に伝達する。第２視準レンズ３４１は第２ホログラム型レンズ３８１から入射される第２光を平行光に視準して第２光分割器３３１に伝達する。第光分割器３３１は第２視準レンズ３４１から入射される第２光を反射させ反射鏡３２０に伝達する。反射鏡３２０は第２光分割器３３１から入射される第１光及び第２光を１/４波長板５１に反射する。１/４波長板５１は入射光の偏光方向を変換させる。反射鏡３２０から１/４波長板５１に入射される第１光及び第２光は平板レンズ３５を通過した後、対物レンズ36により光ディスクら８及び９０のそれぞれの情報記録面に集束される。光ディスク８及び９０から反射された第１光及び第２光は対物レンズ３６、平板レンズ３５、１/４波長板５１及び反射鏡３２０を経て第２光分割器３３１に入射される。第２光分割器３３１は反射鏡３２０から入射される第１光を第１視準レンズ３４０側に透過し、反射鏡３２０から入射される第２光を第２視準レンズ３４１側に反射する。第１視準レンズ３４０から第１光分割器３３０に入射される第１光は第１ホログラム型光検出レンズ３８０及び第１光検出器３９０に伝えられ、第１光検出器３９０は入射される光ら情報を検出する。一方、反射鏡３２０から第２光分割器３３１に入射される第２光は第２視準レンズ３４１及び第２ホログラム型光検出レンズ３８１を透過して第２光検出器４１０に入射され、第２光検出器４１０は入射される第２光から情報を検出する。図１０の光ピックアップで、反射鏡３２０、１/４波長板５１、平板レンズ３５及び対物レンズ３６で構成される光学ユニットは移動自在であり、これら光学素子を除いた残り光学素子で構成される光学ユニットは固定される。
【００４０】
以上で平坦レンズの回折格子又は回折溝（groove)は階段型構造として説明したが、歯車構造よりなるものも可能である。
【図面の簡単な説明】
【００４１】
【図１】DVD及びCD-Rに記録及び再生が可能な従来の光記録/ピックアップヘッドの構成を示した図である。
【図２】薄膜型可変絞りの構成を示した図である。
【図３】本発明の第１実施形態にともなうDVD及びCD-RWに記録及び再生が可能な光記録/ピックアップヘッドの概略的な構成を示した図である。
【図４】階段型平板レンズの構成を示した図である。
【図５】階段型平板レンズの回折格子構造を示した図である。
【図６】回折格子の深さにともなう階段型平板レンズの回折効率特性を示した図である。
【図７】階段型平板レンズにおいて回折格子深さと回折効率との関係を説明するための図である。
【図８】階段型平板レンズと対物レンズの位置関係を示した図である。
【図９】階段型平板レンズと一体化した対物レンズを示した図である。
【図１０】本発明の第２実施形態にともなうDVD及びCD-RWに記録及び再生が可能な光記録/ピックアップヘッドの概略的な構成を示した図である。
【符号の説明】
【００４２】
３１  第１光源
３３，３３０  光分割器
３５  平板レンズ
３６  対物レンズ
３９  光検出器
４１，４１０  第２光源
３５１  第１領域
３５２  第２領域
【図１】
2004171758.tif 000009
【図２】
2004171758.tif 000010
【図３】
2004171758.tif 000011
【図４】
2004171758.tif 000012
【図５】
2004171758.tif 000013
【図６】
2004171758.tif 000014
【図７】
2004171758.tif 000015
【図８】
2004171758.tif 000016
【図９】
2004171758.tif 000017
【図１０】
2004171758.tif 000018